(57)【要約】【課題】上下方向に隣合う２つのトレーを逆方向に向けて重ねることを確実に実行させる。【解決手段】一定方向に長い透析器１００を、その長手方向を平行にして水平方向に並設する状態に支持する複数のダンボール紙製トレー１０が箱３の内側に積重ねられるトレーの積重ね構造において、各トレー１０が、透析器１００を前記並設する状態に支持する複数の支持部１１ｄ、１１ｅを有するトレー本体１１と、トレー本体１１に設けられ、隣合う上下段で同じ向きに積み重ねるときに上側から重ねることを拒否し、隣合う上下段で鉛直軸回りに１８０゜回転させた逆向き配置に積み重ねるときに上側から重ねることを許容する方向規制手段１２とを有し、方向規制手段１２が許容して逆向き配置にトレー１０を積重ねたとき、複数の支持部１１ｄ、１１ｅは上段の透析器１００と下段の透析器１００とを、その透析器１００の長手方向から見て千鳥状に配置するように構成されている。【選択図】図１
2011006082.tif 000002
【特許請求の範囲】
【請求項１】
一定方向に長い複数の被収納物を、それぞれの長手方向を平行にして水平方向に並設する状態に支持する複数のダンボール紙製トレーが、ダンボール紙製の箱の内側に積重ねられるトレーの積重ね構造において、
各トレーが、前記被収納物を前記並設する状態に支持する複数の支持部を有するトレー本体と、前記トレー本体に設けられ、隣合う上下段で同じ向きに積み重ねるときに上側から重ねることを拒否し、隣合う上下段で鉛直軸回りに１８０゜回転させた逆向き配置に積み重ねるときに上側から重ねることを許容する方向規制手段とを有し、
前記方向規制手段が許容して前記逆向き配置にトレーを積重ねたとき、前記複数の支持部は上段の被収納物と下段の被収納物とを、その被収納物の長手方向から見て千鳥状に配置するように構成されていることを特徴とするトレーの積重ね構造。
【請求項２】
請求項１に記載のトレーの積重ね構造において、
前記箱は閉じると六面体状になるもので、
前記トレー本体は、箱の水平断面形状に対応した矩形状の底面を有し、
前記方向規制手段は、前記底面の一辺から突出して形成されていて前記一辺を揺動中心として揺動可能な方向規制片と、前記底面の一辺とは反対側の辺に形成され、前記トレー本体を積み重ねるときに一定の起立姿勢の前記方向規制片を通過する切欠部とを備えることを特徴とするトレーの積重ね構造。
【請求項３】
請求項２に記載のトレーの積重ね構造において、
前記方向規制手段は、前記箱の側面に倒れ掛けた姿勢が前記一定の起立姿勢になる方向規制片を有し、積み重ねる上側のトレー本体を前記逆向き配置にして積み重ねると、前記上側のトレー本体に設けられた切欠部が、下側のトレー本体に設けられた前記方向規制片を通過する構成となっていることを特徴とするトレーの積重ね構造。
【請求項４】
請求項２に記載のトレーの積重ね構造において、
前記方向規制片は、前記トレー本体に形成した係止部に係止させる被係止部を有しその被係止部を前記係止部に係止させると自立して前記一定の起立姿勢になる方向規制片を有することを特徴とするトレーの積重ね構造。
【請求項５】
請求項３または４に記載のトレーの積重ね構造において、
前記方向規制片は、その先端部に前記起立姿勢のとき箱の内方を向く折曲片を有し、前記切欠部は前記折曲片を通過させる大きさに設定されることを特徴とするトレーの積重ね構造。
【請求項６】
一定方向に長い被収納物を、その長手方向を平行にして水平方向に並設する状態に支持するもので、ダンボール紙製の箱の内側に積重ねられるダンボール紙製トレーにおいて、
前記被収納物を前記並設する状態に支持する複数の支持部を有するトレー本体と、
前記トレー本体に設けられ、隣合う上下段で同じ向きに積み重ねるときに上側から重ねることを拒否し、隣合う上下段で鉛直軸回りに１８０゜回転させた逆向き配置に積み重ねるときに上側から重ねることを許容する方向規制手段とを有し、
前記方向規制手段が許容して前記逆向き配置に積重ねたとき、前記複数の支持部は上段の被収納物と下段の被収納物とを、その被収納物の長手方向から見て千鳥状に配置するように構成されていることを特徴とするトレー。
【請求項７】
請求項６に記載の４つのトレーと、
各トレーにセットされる多数の被収納物と、
全トレーを入れる箱とを少なくとも含み、
前記全トレーが逆向き配置にして前記箱内に積み重ねられ、かつ前記箱の外側であって、トレーの積み重ね方向の両側から滅菌処理を受けることを特徴とする滅菌処理対象物。
【発明の詳細な説明】
【技術分野】
【０００１】
本発明は、例えば透析器などの処理対象物を載せた複数のトレーを箱内に積重ねる構造、その積重ねに好適なトレー、及び滅菌処理対象物に関する。
【背景技術】
【０００２】
上記透析器１００は、図７に示すように、中空糸状の半透膜が多数入ったプラスティック製の円筒容器１０１の両端部が蓋１０１ａ、１０１ｂにより塞がれるとともに、容器１０１の内部に、透析液の入口１０２から透析液を入れ、透析液の出口１０３から透析液を排出し、一方、血液の入口１０４から血液を容器１０１の内部に入れ、血液の出口１０５から血液を排出することにより人工透析を行うように構成されている。
【０００３】
このような透析器は、使用に際して滅菌処理が必要とされる。その滅菌処理として、例えばガンマ線や電子線を透析器に照射することが行われている（例えば、特許文献１等参照）。
【０００４】
この場合において、ダンボール紙製の箱の内部に透析器を入れ、箱の外側から電子線等を照射し、内部の透析器を滅菌することが考えられる。そして、箱詰め効率を考えると、箱内での段数を増やした状態で電子線等の照射を行うことが好ましい。
【０００５】
その一例として、例えば図８に示すように、ダンボール紙製のトレー１１０の上に透析器１００を複数本を並べて置き、そのトレー１１０を箱１１１の内部に入れることを、例えば４回繰り返し、つまり４段重ねにし、このように構成された滅菌処理対象物１２０におけるトレー１１０を重ねた方向の両側（図８においては上側と下側）から電子線（ｅ＋）等を照射することが考えられる。なお、図８中の１１２はスペーサである。また、図８においては、透析液の入口１０２及び出口１０３は省略している。
【０００６】
この滅菌処理対象物１２０において、両側からの電子線等の照射により全ての透析器１００を一度に滅菌処理しようとすると、上側２段のトレー１１０と下側２段のトレー１１０とにおいて、各２段の水平方向の並べ方を千鳥状に透析器１００を配し、つまり下側の隣り合う透析器１００の間に、上側の透析器１００が位置するように配し、電子線照射の際に照射側に近い段の透析器１００が遠い段の透析器１００への電子線照射を邪魔しない或いは邪魔し難くする配置を要する。
【先行技術文献】
【特許文献】
【０００７】
【特許文献１】特開平６−２８５１６２号公報
【発明の概要】
【発明が解決しようとする課題】
【０００８】
ところで、トレー１１０は並設方向に沿って透析器１００を置く箇所に凹部１１０ａを設けるとともに、前記千鳥状配置を可能にするために、トレー１１０の一端１１０ｂとその一端１１０ｂに最も近い凹部１１０ａとの距離Ｌ１０と、トレー１１０の他端１１０ｃとその他端１１０ｃに最も近い凹部１１０ａとの距離Ｌ１１とを変えている。そして、トレー１１０を重ねるとき、下側のトレー１１０の一端１１０ｂの上に、上側のトレー１１０の他端１１０ｃを位置させることにより千鳥状配置が実現可能になる。
【０００９】
しかしながら、上述したように下側のトレー１１０の一端１１０ｂの上に、上側のトレー１１０の他端１１０ｃを位置させる必要があるにも拘わらず、用いるトレーが全て同一のものを用いているため、下側のトレー１１０の一端１１０ｂの上に、上側のトレー１１０の一端１１０ｂを位置させて、つまり同一方向に向けて重ねて箱詰めしてしまう虞があった。そして、このような箱詰め状態の滅菌処理対象物に対して滅菌処理を行うと、上下方向に２つの透析器１００が重なっているので、電子線照射を所定通りに実行しても、全ての透析器１００を均一に滅菌処理できないことになるという不都合がある。
【００１０】
本発明は、このような現状に基づいてなされたものであり、上下方向に隣合う２つのトレーを逆方向に向けて重ねることを確実に達成し得るトレーの積重ね構造、トレー及び滅菌処理対象物を提供することを目的とする。
【課題を解決するための手段】
【００１１】
本発明の請求項１に係るトレーの積重ね構造は、一定方向に長い複数の被収納物を、それぞれの長手方向を平行にして水平方向に並設する状態に支持する複数のダンボール紙製トレーが、ダンボール紙製の箱の内側に積重ねられるトレーの積重ね構造において、各トレーが、前記被収納物を前記並設する状態に支持する複数の支持部を有するトレー本体と、前記トレー本体に設けられ、隣合う上下段で同じ向きに積み重ねるときに上側から重ねることを拒否し、隣合う上下段で鉛直軸回りに１８０゜回転させた逆向き配置に積み重ねるときに上側から重ねることを許容する方向規制手段とを有し、前記方向規制手段が許容して前記逆向き配置にトレーを積重ねたとき、前記複数の支持部は上段の被収納物と下段の被収納物とを、その被収納物の長手方向から見て千鳥状に配置するように構成されていることを特徴とする。
【００１２】
本発明の請求項２に係るトレーの積重ね構造は、請求項１に記載のトレーの積重ね構造において、前記箱は閉じると六面体状になるもので、前記トレー本体は、箱の水平断面形状に対応した矩形状の底面を有し、前記方向規制手段は、前記底面の一辺から突出して形成されていて前記一辺を揺動中心として揺動可能な方向規制片と、前記底面の一辺とは反対側の辺に形成され、前記トレー本体を積み重ねるときに一定の起立姿勢の前記方向規制片を通過する切欠部とを備えることを特徴とする。
【００１３】
本発明の請求項３に係るトレーの積重ね構造は、請求項２に記載のトレーの積重ね構造において、前記方向規制手段は、前記箱の側面に倒れ掛けた姿勢が前記一定の起立姿勢になる方向規制片を有し、積み重ねる上側のトレー本体を前記逆向き配置にして積み重ねると、前記上側のトレー本体に設けられた切欠部が、下側のトレー本体に設けられた前記方向規制片を通過する構成となっていることを特徴とする。
【００１４】
本発明の請求項４に係るトレーの積重ね構造は、請求項２に記載のトレーの積重ね構造において、前記方向規制片は、前記トレー本体に形成した係止部に係止させる被係止部を有しその被係止部を前記係止部に係止させると自立して前記一定の起立姿勢になる方向規制片を有することを特徴とする。
【００１５】
本発明の請求項５に係るトレーの積重ね構造は、請求項３または４に記載のトレーの積重ね構造において、前記方向規制片は、その先端部に前記起立姿勢のとき箱の内方を向く折曲片を有し、前記切欠部は前記折曲片を通過させる大きさに設定されることを特徴とする。
【００１６】
本発明の請求項６に係るトレーは、一定方向に長い被収納物を、その長手方向を平行にして水平方向に並設する状態に支持するもので、ダンボール紙製の箱の内側に積重ねられるダンボール紙製トレーにおいて、前記被収納物を前記並設する状態に支持する複数の支持部を有するトレー本体と、前記トレー本体に設けられ、隣合う上下段で同じ向きに積み重ねるときに上側から重ねることを拒否し、隣合う上下段で鉛直軸回りに１８０゜回転させた逆向き配置に積み重ねるときに上側から重ねることを許容する方向規制手段とを有し、前記方向規制手段が許容して前記逆向き配置に積重ねたとき、前記複数の支持部は上段の被収納物と下段の被収納物とを、その被収納物の長手方向から見て千鳥状に配置するように構成されていることを特徴とする。
【００１７】
本発明の請求項７に係る滅菌処理対象物は、請求項６に記載の４つのトレーと、各トレーにセットされる多数の被収納物と、全トレーを入れる箱とを少なくとも含み、前記全トレーが逆向き配置にして前記箱内に積み重ねられ、かつ前記箱の外側であって、トレーの積み重ね方向の両側から滅菌処理を受けることを特徴とする。
【発明の効果】
【００１８】
本発明による場合には、トレーを上下に積重ねるとき、トレー本体どうしが１８０゜回転させた逆向き配置であれば、トレーに設けられた方向規制手段がトレーの積重ねを許容する。これに対し、上下のトレーを積重ねるとき逆向き配置でなければ、トレーの積み重ねを拒絶する。したがって、上下方向に隣合う２つのトレーを逆方向に向けて重ねることを確実に達成し得る。
【００１９】
請求項２の発明による場合には、積み重ねる上下のトレーのうち下側のトレーにおける前記方向規制片が一定の起立姿勢のときに、上側のトレーの向きを逆向き配置にして積み重ねると、トレー本体に設けられた切欠部をその方向規制片が通過する。一方、上側のトレーの向きを逆向き配置にしないときは、下側のトレーにおける方向規制片が上側のトレーに当接して積み重ねを邪魔する。よって、上下方向に隣合う２つのトレーの方向（向き）が規制される。
【００２０】
請求項３の発明による場合には、トレー本体を箱の上側の開口より下側へ向けて押入れると、そのトレー本体から外側に突出している方向規制片は、前記箱の側面に倒れ掛けた姿勢が前記一定の起立姿勢になる。この状態の下側のトレーに対し上側のトレーを逆向き配置にして箱内に積み重ねると、上側のトレーの切欠部を上記下側のトレーの方向規制片が通過する。
【００２１】
請求項４の発明による場合には、方向規制片に設けた被係止部をトレー本体に形成した係止部に係止させると、方向規制片を自立させて一定の起立姿勢にすることができる。
【００２２】
請求項５の発明による場合には、一定の起立姿勢となった方向規制片の上端部（先端部）に、箱の内方を向く折曲片が存在する。この折曲片は切欠部を通し難くする働きを有するので、上下方向に隣合う２つのトレーを逆方向に向けて重ねることをより確実にする。
【００２３】
本発明の滅菌処理対象物にあっては、４つのトレーが逆向き配置にして箱内に積み重ねられ、上下方向に隣合う上段の被収納物と下段の被収納物とが千鳥状に配置されているので、トレーの積み重ね方向の両側から電子線照射或いはガンマ線照射等による滅菌処理を受けると、全部の被収納物が未滅菌処理部分を残すことなく滅菌される。
【図面の簡単な説明】
【００２４】
【図１】本発明の一実施形態に係る滅菌処理対象物を模式的に示す正面図である。
【図２】本発明の一実施形態に係るトレーを示す外観斜視図である。
【図３】図２に示すトレーの展開図である。
【図４】本発明のトレーの積重ね構造の説明図である。
【図５】本発明のトレーの積重ね構造の説明図である。
【図６】本発明の他の実施形態に係るトレーを示す外観斜視図である。
【図７】透析器の一例を示す外観斜視図である。
【図８】従来のトレーを用いる場合の課題の説明図である。
【発明を実施するための形態】
【００２５】
以下に、本発明の実施形態を具体的に説明する。
【００２６】
図１は、本発明の一実施形態に係る滅菌処理対象物を模式的に示す正面図である。
【００２７】
この滅菌処理対象物１は、一定方向に長い被収納物としての透析器１００を、その長手方向を平行にして水平方向に並設する状態に支持する複数、この図示例では４つのダンボール紙製トレー１０が、ダンボール紙製の箱３の内側に積重ねられた構造となっている。箱３は閉じると六面体状になるものである。
【００２８】
各トレー１０は、図２に示すように、トレー本体１１と、このトレー本体１１に設けられた方向規制手段１２とを有する。このトレー１０は、図３の展開図に示すダンボール紙を二点鎖線により示す箇所Ｂを谷折りとし、破線により示す箇所Ｃを山折りとして形成されたものである。
【００２９】
トレー本体１１は、概略矩形状をした底部１１ａと、その低部１１ａの幅方向Ｄの両端部に設けた一対の支持片部１１ｂ、１１ｃと、各支持片部１１ｂ、１１ｃの上端部に一定間隔をあけて設けた凹状の支持部１１ｄ、１１ｅとを有する。底部１１ａは、箱３の水平断面形状に対応した形状、大きさに形成されている。幅方向Ｄに対応する支持片部１１ｂの支持部１１ｄと支持片部１１ｃの支持部１１ｅとは、１つの透析器１００が載せられる１組のものであり、両支持片部１１ｂ、１１ｃには幅方向Ｄと直交する長さ方向Ｅに６組の支持部１１ｄ及び支持部１１ｅが形成されている。１組の支持部１１ｄ及び支持部１１ｅには、透析器１００の長手方向の両端部が支持され、その支持された透析器１００の長手方向は前記幅方向Ｄに一致する。上記支持部１１ｄ、１１ｅは、透析器１００の円筒容器１０１が嵌り込む円弧状に窪んでいて、その曲率半径は本実施形態では円筒容器１０１の半径にほぼ一致している。なお、上記支持部１１ｄ、１１ｅは、透析器１００における血液の入口１０４、出口１０５を支持する構成としてもよい。
【００３０】
上記支持片部１１ｂ、１１ｃは、断面三角形状に形成されていて、支持部１１ｄ、１１ｅは断面三角形状の支持片部１１ｂ、１１ｃの頂部を挟む２面を円弧状に切欠いた部分を有する。
【００３１】
底部１１ａの長さ方向Ｅの両側には、前記方向規制手段１２を構成する方向規制片１３及び切欠部１４が設けられている。この方向規制手段１２は、隣合う上下段のトレー１０で同じ向きに積み重ねるときに上側から重ねることを拒否し、隣合う上下段で鉛直軸回りに１８０゜回転させた逆向き配置にトレー１０を積み重ねるときに上側から重ねることを許容するものである。より具体的には、方向規制片１３は、底面１１ａの一辺１１ｆから突出して形成されていて前記一辺１１ｆを揺動中心として揺動可能であり、トレー１０を積み重ねるときに一定の起立姿勢Ａとなる。例えば、方向規制片１３の先端（一辺１１ｆとは反対側）が上側に向きかつ箱３の側面３ａに倒れ掛けた姿勢となる（図４参照）。この起立姿勢Ａは、上面が開いた箱３の内側にトレー本体１１を上側から挿入することで得られる。
【００３２】
方向規制片１３の先端には、前記起立姿勢Ａのときに、箱３の内側を向きかつ底面１１ａとほぼ平行になし得る折曲片１３ａが設けられている。なお、折曲片１３ａがほぼ平行になっていない場合は、折曲片１３ａの角度を手で調整しても構わない。
【００３３】
切欠部１４は、底面１１ａの一辺１１ｆとは反対側の辺１１ｇに形成されており、前記逆向き配置にしてトレー１０を積み重ねるときに、前記一定の起立姿勢Ａの方向規制片１３を通過するようにさせるものである。よって、切欠部１４の幅寸法Ｗ２は方向規制片１３の幅寸法Ｗ３よりも若干大きく、切欠部１４の深さ寸法Ｌ２は方向規制片１３（折曲片１３ａを含む）の前記長さ方向Ｅにおける長さ寸法Ｌ３よりも若干大きく設定される。上記長さ寸法Ｌ３は、例えば方向規制片１３が鉛直方向の上方を向いて箱３の側面３ａに倒れ掛けた起立姿勢Ａとなっていて、折曲片１３ａが底面１１ａとほぼ平行になっている場合には、折曲片１３ａの長さ寸法Ｌ４に相当し、または、方向規制片１３が底面１１ａに対する内角が９０゜よりも大きい角度であって箱３の側面３ａに倒れ掛けた起立姿勢Ａになっていて、折曲片１３ａが底面１１ａと平行になっている場合には、平面視において折曲片１３ａと方向規制片１３とが重なった長さ寸法を折曲片１３ａの長さ寸法Ｌ４から差し引いた値に相当する。
【００３４】
前記６組の支持部１１ｄ及び支持部１１ｅの配置は、前記一辺１１ｆに最も近いものと一辺１１ｆとの間の距離Ｌ５は、前記反対側の辺１１ｇに最も近いものと辺１１ｇとの間の距離Ｌ６よりも長くなっていて、前記距離Ｌ５及び距離Ｌ６は、前記方向規制手段１２が許容して逆向き配置にトレー１０を積重ねたとき、上段のトレー１０に支持された透析器１００と下段のトレー１０に支持された透析器１００とを、その透析器１００の長手方向から見て千鳥状に配置するように設定されている。なお、図１中の２０は、上側２段のトレー１０と下側２段のトレー１０との間に設けたスペーサである。このスペーサ２０は省略することができる。
【００３５】
したがって、本実施形態のトレーの積重ね構造にあっては、箱３の内側においてトレー１０を上下に積重ねるとき、図４に示すように上下のトレー１０を積重ねるときこれらトレー１０が同じ方向を向いた配置であって、逆向き配置でなければ、下側のトレー１０の方向規制片１３が上側のトレー１０の底面１１ａに当接し、方向規制手段１２がトレー１０の積み重ねを拒絶する。これに対し、図５に示すように、トレー本体１１どうしが逆向き配置であれば、下側のトレー１０における方向規制片１３が箱３の側面３ａに倒れ掛けた起立姿勢Ａとなっている状態で、前記上側のトレー１０における切欠部１４を、下側のトレー１０の方向規制片１３が通り抜けるときは、方向規制手段１２がトレーの積重ねを許容する。よって、上下方向に隣合う２つのトレー１０を逆方向に向けて重ねることを確実に達成し得る。なお、図４及び図５においては、透析液の入口１０２及び出口１０３を省略して表している。
【００３６】
また、このトレーの積重ね構造を適用して、４つのトレー１０を箱３内に逆向き配置にして４段積重ねるとともに、上２段と下２段の間にスペーサ２０を挟んだ状態にすることにより、本実施形態の滅菌処理対象物５が得られる。この滅菌処理対象物５にあっては、上２段において上下方向に隣合う透析器１００が千鳥状に配置され、かつ下２段において上下方向に隣合う透析器１００が千鳥状に配置されているので、トレー１０の積み重ね方向の両側から滅菌処理を受けると、全部の透析器１００が未滅菌処理部分を残すことなく滅菌することができる。なお、前記滅菌処理としては、例えば電子線照射やガンマ線照射などが該当する。
【００３７】
なお、上述した実施形態では方向規制手段１２を構成する方向規制片１３が、箱の側面に倒れ掛けることで、一定の起立姿勢になるものを例に挙げて説明しているが、本発明はこれに限らず、方向規制片がトレー本体に対して自立することにより一定の起立姿勢になるものを用いてもよい。例えば、図６に示すように、断面三角形状をした支持片部１１ｂ、１１ｃの端部を係止部２１として利用し、その係止部２１の内側に方向規制片１３Ａの両側に突出形成した被係止部２２を入れて係止させる構成とすることにより、方向規制片１３Ａが自立により一定の起立姿勢になるトレーを用いてもよい。この場合における切欠部１４は、方向規制片１３Ａの起立姿勢に対応した大きさに調整される。
【００３８】
また、上述した実施形態では明言していないが、トレー１０に設けた方向規制片１３や方向規制片１３Ａの起立姿勢がほぼ鉛直方向に近い状態で上側に向いた場合を例に挙げて説明しているが、本発明はこれに限らず、上側に向いた状態で斜め方向に傾いた場合にあっても同様に適用することができる。
【００３９】
更にまた、上述した実施形態では箱詰め効率を向上させるため、箱内に４つのトレーを入れる構成としているが、箱内に２または３のトレーを逆向き配置にして入れた構成としても、未滅菌処理部分を残すことなく全部の透析器を滅菌することができる。
【００４０】
更にまた、上述した実施形態では、被収納物が透析器であるため、箱詰め効率を向上させるとともに滅菌処理を施す場合を考慮して最大で４つのトレーを箱内に入れる構成としているが、被収納物が滅菌処理を必要としない場合には、箱内に２以上の任意の個数（例えば５個以上）のトレーを逆向き配置にして入れるときにも、本発明のトレーの積重ね構造を適用することができる。
【符号の説明】
【００４１】
１    滅菌処理対象物
３    箱
１０    トレー
１１    トレー本体
１１ａ    底部
１１ｄ、１１ｅ    支持部
１２    方向規制手段
１３    方向規制片
１４    切欠部
１００    透析器
【図１】
2011006082.tif 000003
【図２】
2011006082.tif 000004
【図３】
2011006082.tif 000005
【図４】
2011006082.tif 000006
【図５】
2011006082.tif 000007
【図６】
2011006082.tif 000008
【図７】
2011006082.tif 000009
【図８】
2011006082.tif 000010